(57)【要約】  本発明は、デジタルマルチメディア放送(ＤＭＢ)における放送サービス受信装置及び方法に関するものである。本発明では、ユーザーが放送サービスの切換え時に感じる不便さを最小化させるのに重点を置いた。ＤＭＢサービスが提供される端末における放送サービス変更方法であって、第１の放送サービスのデータを復号して出力する間、余裕復号資源要素があるか否かを検索する。余裕復号資源要素がある場合、パイロットチャンネルの復号を中断するか否かを決定する。パイロットチャンネルの復号を中断する場合、余裕復号資源要素及び前記パイロットチャンネルを復号した復号資源要素を用いて第２の放送サービスのデータを受信して復号する。ユーザーは第２の放送サービスに切換えるとき、第１の放送サービス及び第２の放送サービスのデータを同時に出力する。
2008514105.tif 000002
【特許請求の範囲】
【請求項１】
パイロットチャンネルと、放送ガイド情報チャンネル(ＥＰＧ)と、放送サービスに対する認証チャンネル(ＣＡＳ)と、一つの放送サービスを伝送する２つの放送サービストラフィックチャンネルとを受信するデジタルマルチメディア放送(ＤＭＢ)システムにおける放送サービス受信方法であって、
第１の放送サービスの放送サービストラフィックを復号するステップと、
前記復号されたトラフィックの第１の放送サービスをユーザーに提供するステップと、
余裕復号資源要素があるか否かを確認するステップと、
前記第１の放送サービスをユーザーに提供する間、前記確認された余裕復号資源要素を介して第２の放送サービスを新たしく受信するステップと、
前記受信された第２の放送サービストラフィックを所定時間の後に復号するステップと、
前記第１の放送サービスをユーザーに提供すると同時に、前記復号されたトラフィックの第２の放送サービスをユーザーに提供するステップとを含むことを特徴とする、ＤＭＢシステムにおける放送サービス受信方法。
【請求項２】
前記第１の放送サービス及び前記第２の放送サービスをユーザーに提供する間、制御情報が必要な場合、前記余裕復号資源要素があるか否かを確認するステップと、
前記確認された余裕復号資源要素を介して前記制御情報を受信するステップとをさらに含むことを特徴とする、請求項１に記載のＤＭＢシステムにおける放送サービス受信方法。
【請求項３】
前記余裕復号資源要素があるか否かを確認するステップは、
前記余裕復号資源要素を検索するステップと、
前記余裕復号資源要素がない場合、復号中であったチャンネルのうちで優先順位が低いチャンネルを選択するステップと、
前記優先順位が低いチャンネルを復号する復号資源要素を余裕復号資源要素として選択するステップとを含むことを特徴とする、請求項１に記載のＤＭＢシステムにおける放送サービス受信方法。
【請求項４】
複数のＤＭＢサービスが提供される端末における放送サービス変更方法であって、
第１の放送サービスのデータを復号して出力する間、余裕復号資源要素があるか否かを検索するステップと、
前記余裕復号資源要素がある場合、パイロットチャンネルの復号を中断するか否かを決定するステップと、
前記余裕復号資源要素がある場合、前記余裕復号資源要素及び前記パイロットチャンネルを復号した復号資源要素を用いて、第２の放送サービスのデータを受信して復号するステップと、
ユーザーが前記第２の放送サービスに切換えるとき、前記第１の放送サービスの出力を中断し、前記第２の放送サービスのデータを出力することを特徴とする、端末における放送サービス変更方法。
【請求項５】
前記パイロットチャンネルの復号を中断するか否かは、制御情報を変更するか否かにより決定されることを特徴とする、請求項４に記載の端末における放送サービス変更方法。
【請求項６】
複数のＤＭＢサービスが提供される端末における放送サービス変更方法であって、
第１の放送サービスのデータを復号して出力する間、余裕復号資源要素があるか否かを検索するステップと、
前記余裕復号資源要素がある場合、パイロットチャンネルの復号を中断するか否かを決定するステップと、
前記余裕復号資源要素がある場合、前記余裕復号資源要素及び前記パイロットチャンネルを復号した復号資源要素を用いて、第２の放送サービスのデータを受信して復号するステップと、
ユーザーが前記第２の放送サービスに切換えるとき、前記第１の放送サービス及び前記第２の放送サービスのデータを同時に出力するステップとを含むことを特徴とする、端末における放送サービス変更方法。
【請求項７】
前記パイロットチャンネルの復号を中断するか否かは、制御情報を変更するか否かにより決定されることを特徴とする、請求項６に記載の端末における放送サービス変更方法。
【請求項８】
パイロットチャンネルと、放送ガイド情報チャンネル(ＥＰＧ)と、放送サービスに対する認証チャンネル(ＣＡＳ)と、２つの放送サービストラフィックチャンネルとを受信するデジタルマルチメディア放送(ＤＭＢ)システムにおける放送サービス受信装置であって、
第１の放送サービスのデータを受信して復号し、前記第１の放送サービスをユーザーに提供する間、余裕復号資源要素を介して第２の放送サービスのデータを受信して復号する復号資源と、
前記第１の放送サービスを受信する間、前記第２の放送サービスを受信するための前記余裕復号資源要素があるか否かを確認する制御部とを備えることを特徴とする、ＤＭＢシステムにおける放送サービス受信装置。
【請求項９】
受信された前記第１の放送サービス及び前記第２の放送サービスのデータをデインタリーブするデインタリーバをさらに備えることを特徴とする、請求項８に記載のＤＭＢシステムにおける放送サービス受信装置。
【請求項１０】
前記制御部は、前記第１の放送サービスをユーザーに提供する間、制御情報が必要な場合、余裕復号資源要素があるか否かを確認し、前記余裕復号資源要素がある場合、前記確認された余裕復号資源要素を介して前記制御情報を受信して復号することを特徴とする、請求項８に記載のＤＭＢシステムにおける放送サービス受信装置。
【請求項１１】
前記制御部は、前記余裕復号資源要素がない場合、復号中であったチャンネルのうちで優先順位が低いチャンネルを復号する復号資源要素を選択し、前記選択された復号資源要素を用いて前記制御情報を受信して復号することを特徴とする、請求項１０に記載のＤＭＢシステムにおける放送サービス受信装置。
【請求項１２】
パイロットチャンネルと、放送ガイド情報チャンネル(ＥＰＧ)と、放送サービスに対する認証チャンネル(ＣＡＳ)と、１つの放送サービスを伝送する２つの放送サービストラフィックチャンネルとを受信するデジタルマルチメディア放送(ＤＭＢ)システムにおける放送サービス受信方法であって、
第１及び第２の放送サービスの放送サービストラフィックを復号するステップと、
前記復号された第１及び第２の放送サービストラフィックをユーザーに提供するステップと、
余裕復号資源要素があるか否かを確認するステップと、
前記第１及び第２の放送サービスをユーザーに提供する間、前記確認された余裕復号資源要素を介して第３の放送サービスを新しく受信するステップと、
前記受信された第３の放送サービストラフィックを所定時間の後に復号するステップと、
前記第１及び第２の放送サービスをユーザーに提供すると同時に、前記復号された第３の放送サービストラフィックをユーザーに提供するステップとを含むことを特徴とする、ＤＭＢシステムにおける放送サービス受信方法。
【請求項１３】
前記第１、第２及び第３の放送サービスをユーザーに提供する間、制御情報が必要な場合、余裕復号資源要素があるか否かを確認するステップと、
前記確認された余裕復号資源要素を介して前記制御情報を受信するステップとをさらに含むことを特徴とする、請求項１２に記載のＤＭＢシステムにおける放送サービス受信方法。
【請求項１４】
前記余裕復号資源要素があるか否かを確認するステップは、
前記余裕復号資源要素を検索するステップと、
前記余裕復号資源要素がない場合、復号中であったチャンネルのうちで優先順位が低いチャンネルを選択するステップと、
前記優先順位が低いチャンネルを復号する復号資源要素を余裕復号資源要素として選択するステップとを含むことを特徴とする、請求項１２に記載のＤＭＢシステムにおける放送サービス受信方法。
【請求項１５】
複数のＤＭＢサービスが提供される端末における放送サービス変更方法であって、
第１及び第２の放送サービスのデータを復号して出力する間、余裕復号資源要素があるか否かを検索するステップと、
前記余裕復号資源要素がある場合、パイロットチャンネルの復号を中断するか否かを決定するステップと、
前記パイロットチャンネルの復号を中断する場合、前記余裕復号資源要素及び前記パイロットチャンネルを復号した復号資源要素を用いて、第３の放送サービスのデータを受信して復号するステップと、
ユーザーが前記第３の放送サービスに切換えるとき、予め提供されていた前記第１及び第２の放送サービスの出力を中断し、前記第３の放送サービスのデータを出力することを特徴とする、端末における放送サービス変更方法。  
【請求項１６】
前記パイロットチャンネルの復号を中断するか否かは、制御情報を変更するか否かにより決定されることを特徴とする、請求項１５に記載の端末における放送サービス変更方法。
【請求項１７】
複数のＤＭＢサービスが提供される端末における放送サービス変更方法であって、
第１及び第２の放送サービスのデータを復号して出力する間、余裕復号資源要素があるか否かを検索するステップと、
前記余裕復号資源要素がある場合、パイロットチャンネルの復号を中断するか否かを決定するステップと、
前記パイロットチャンネルの復号を中断する場合、前記余裕復号資源要素及び前記パイロットチャンネルを復号した復号資源要素を用いて、第３の放送サービスのデータを受信して復号するステップと、
ユーザーが前記第３の放送サービスに切換えるとき、前記第２の放送サービス及び前記第３の放送サービスを同時に出力するステップとを含むことを特徴とする、端末における放送サービス変更方法。
【請求項１８】
前記ユーザーが前記第３の放送サービスに切換えるとき、前記第１の放送サービス及び前記第３の放送サービスのデータを同時に出力するステップを含むことを特徴とする、請求項１７に記載の端末における放送サービス変更方法。
【請求項１９】
前記ユーザーに前記第１、第２及び第３の放送サービスを同時に出力するステップを含むことを特徴とする、請求項１７に記載の端末における放送サービス変更方法。
【請求項２０】
前記パイロットチャンネルの復号を中断するか否かは、制御情報を変更するか否かにより決定されることを特徴とする、請求項１７に記載の端末における放送サービス変更方法。
【請求項２１】
パイロットチャンネルと、放送ガイド情報チャンネル(ＥＰＧ)と、放送サービスに対する認証チャンネル(ＣＡＳ)と、２つの放送サービストラフィックチャンネルとを受信するデジタルマルチメディア放送(ＤＭＢ)システムにおける放送サービス受信装置であって、
第１の放送サービス及び第２の放送サービスのデータを受信して復号し、前記第１及び第２の放送サービスをユーザーに提供する間、余裕復号資源要素を介して第３の放送サービスのデータを受信して復号する復号資源と、
前記第１の放送サービス及び第２の放送サービスを受信する間、前記第３の放送サービスを受信するための前記余裕復号資源要素があるか否かを確認する制御部とを備えることを特徴とする、ＤＭＢシステムにおける放送サービス受信装置。
【請求項２２】
受信された前記第１の放送サービス、前記第２の放送サービス及び前記第３の放送サービスのデータをデインタリーブするデインタリーバをさらに備えることを特徴とする、請求項２１に記載のＤＭＢシステムにおける放送サービス受信装置。
【請求項２３】
前記制御部は、前記第１の放送サービス及び第２の放送サービスをユーザーに提供する間、制御情報が必要な場合、余裕復号資源要素があるか否かを確認し、前記余裕復号資源要素がある場合、前記確認された余裕復号資源要素を介して前記制御情報を受信して復号することを特徴とする、請求項２１に記載のＤＭＢシステムにおける放送サービス受信装置。
【請求項２４】
前記制御部は、前記余裕復号資源要素がない場合、復号中であったチャンネルのうちで優先順位が低いチャンネルを復号する復号資源要素を選択し、前記選択された復号資源要素を用いて前記制御情報を受信して復号することを特徴とする、請求項２３に記載のＤＭＢシステムにおける放送サービス受信装置。
【発明の詳細な説明】
【技術分野】
【０００１】
本発明は、放送システムにおける放送サービスの受信装置及び方法に関し、特に、デジタルマルチメディア放送（Digital Multimedia Broadcasting：以下、「ＤＭＢ」と称する。）の受信装置及び方法に関する。
【背景技術】
【０００２】
通常、デジタル放送とは、従来のアナログ放送に比べ、高画質や高音質、且つ、高品質のサービスを提供できる放送サービスのことである。このようなデジタル放送は、地上波及び衛星放送のような２種類に発展した。ここで、地上波放送は、地上の中継器を介してサービスする放送データを送出する方式を言い、衛星放送は、人工衛星を介してサービスする放送データを送出する方式を言う。よって、地上波放送を受信するユーザー端末は、地上にある中継器を介して放送サービスを受信し、衛星放送を受信するユーザー端末は、人工衛星を介して放送サービスを受信する。
【０００３】
デジタル放送は、高画質や高音質などのサービスを提供するために、圧縮率が高いＭＰＥＧ−２(Motion Picture Experts Group-2)で圧縮されて放送トラフィックが転送される方式及びＭＰＥＧ−４方式を用いる。この二種類の方式は、高い圧縮率で放送サービスを圧縮して転送する。このように、デジタル放送において圧縮率が高いＭＰＥＧ−２方式又はＭＰＥＧ−４方式を用いてデータを圧縮する理由は、サービスされる放送データの情報量が大量であり、高速転送が要求されるためである。
【０００４】
このようにデジタル放送サービスを提供するために多様な方式が用いられる。その一つがＤＭＢ方式である。以下、ＤＭＢ方式の全般的なシステムについて説明する。まず、ＤＭＢシステムの規格を満たすために、端末には、一つの放送サービスに対して５つのチャンネルを受信できる構成が要求されている。
【０００５】
図１は、ＤＭＢシステムの端末に一つの放送サービスを提供するために必要なチャンネルの構成を示す図である。以下、図１を参照して、ＤＭＢシステムの端末で放送サービスを提供されるために必要なチャンネルの種類及び機能について説明する。
【０００６】
図１では、ＤＭＢシステムにおいて、一つの放送サービスを提供されるために、５つのチャンネルが必要である。各チャンネルは、チャンネル０、チャンネル１、チャンネル２、チャンネル３及びチャンネル４に分けられる。まず、図１において、チャンネル０に分けられたチャンネル１００は、限定受信システム(ＣＡＳ：Conditional Access System)情報を伝送する。チャンネル１に分けられたチャンネル１０２は、電子番組ガイド(ＥＰＧ：Electronic Program Guide)情報を伝送する。チャンネル２及びチャンネル３に分けられたチャンネル１０４、１０６は、特定の放送を伝送する。
【０００７】
図１では、放送Ａを受信すると仮定した。放送Ａがチャンネル２(１０４)及びチャンネル３(１０６)を介して伝送されることを示すために、放送Ａは放送Ａ−１及び放送Ａ−２に区別されて示されている。最後に、チャンネル４(１０８)は、パイロット情報を伝送する。
【０００８】
前述したように、実際に放送トラフィックが伝送されるチャンネルは、チャンネル２(１０４)及びチャンネル３(１０６)である。これは、ＤＭＢシステムは、一つの放送サービスに対する放送トラフィックが２つのチャンネルを介して伝送されるように構成されているためである。
【０００９】
一方、放送サービスを提供するとき、ＤＭＢシステムで要求される規格に従って、放送トラフィックを大きいデータブロック単位でインタリーブして伝送しなければならない。すなわち、送信機のインタリーバは、符号化器で符号化されたトラフィック情報を大きい単位でインタリーブして伝送する。よって、ユーザー端末又は受信機では、インタリーブされた全てのデータを受信しなければ、復号を行うことができない。より詳しくは、大きい単位でインタリーブされた全てのデータを受信しなければ、デインタリーブが不可能であり、デインタリーブが完了されなければ、復号を行うことができない。したがって、ＤＭＢシステムの端末は、受信されたトラフィックの復号が行われる前、デインタリーブに必要なサイズのデータを受信した後でなければ、放送サービストラフィックの復号を行うことができないため、放送サービスを提供する動作は著しく遅延される。
【００１０】
前述したチャンネルを介して受信される放送サービストラフィックは、レーク(LAKE)受信機の後段の復号資源(decoding resources)に入力されて復号される。復号資源は、受信されたトラフィックをデインタリーブするデインタリーバと、上記トラフィックを復号するデコーダとを含む。
このようなサービスで発生する遅延は、端末がサービスを開始する場合だけでなく、ユーザーが別な放送チャンネルを要求する場合にも発生する。なぜなら、各放送サービストラフィックがそれぞれインタリーブされて提供されるためである。よって、端末が特定のチャンネルの放送サービスを提供されている間に他のチャンネルの放送が要求される場合にも、最初に放送サービスを受信する場合と同様の遅延が発生する。
【００１１】
図２は、従来技術のＤＭＢシステムにおいて放送サービスが切り換えられるときの、遅延時間を説明するためのタイミング図である。
図２によれば、ｘ軸は時間を示し、ｙ軸は放送サービスを提供するトラフィックを示す。まず、ＤＭＢサービスを受信する端末に対し、放送Ａ(２００)のサービスが提供される状況を図示した。このように放送サービスが提供されている端末において、ユーザーにより放送サービスの変更が要求されると、端末は、放送Ａ(２００)を提供するために、バッファに格納されたデータを削除し、要求されたチャンネルの放送データを受信しなければならない。前述したように、放送Ａ(２００)を提供するためにバッファには大量のデータが格納されるが、これは、放送データのインタリーブに必要なデータサイズに相当する。
【００１２】
このように、バッファに格納されたデータを削除した後、ユーザーが要求した放送サービスである放送Ｂ(２０４)を受信してバッファに格納する時間間隔(time interval)は、図２のＴ００時点からＴ０２時点までの時間間隔よりも小さい。このように、バッファにデータが格納されると、端末は、バッファに格納されたデータを、復号資源を用いて復号する。また、ユーザーにより要求された放送サービスである放送Ｂ(２０４)を正常に提供するためには、バッファに格納されるデータの量は、インタリーブされたデータの量より多いか、同一でなければならない。
【００１３】
したがって、図２で復号遅延を表す時間区間２０２は、実際にバッファにデインータリービングのために放送サービストラフィックを格納する時間と、格納されたデータがデインタリーブされる時間及び復号される時間とを含むものである。すなわち、参照符号２０２に示される時間間隔の間は、要求された放送サービスである放送Ｂ(２０４)のデータを継続的に受信するが、要求された放送サービスが実際に提供される時点はＴ０２０２時点の以後になる。
【００１４】
このような遅延時間が発生する理由は、前述したように、放送データが大きいデータブロック単位でインタリーブされて伝送された場合、端末は、この放送データをデインタリーブするためには、インターリーブされた全てのデータを受信しなければならないためである。よって、インタリーブのサイズが大きいＤＭＢシステムでは、端末が放送サービスの切換えを遂行したい場合、少なくともインタリーブされた全てのデータを受信するまで放送サービスを提供することができない。
【００１５】
また、たとえ全てのデータを受信しても、デインータリービング動作及び復号動作による遅延時間の間、放送が提供されない。
すなわち、放送Ａ(２００)から放送Ｂ(２０４)へ切換えが要求された場合(Ｔ００)、放送Ａ(２００)の受信が中断され、放送Ｂ(２０４)がデインータリービングされる間(２０２)、何らの放送も提供されない。放送Ｂ(２０４)のデインータリービング及び復号が完了してから、放送Ｂ(２０４)が出力される。本発明では、デインタリーブ時間及び復号時間を復号遅延時間と称す。
【００１６】
一方、ＤＭＢシステムにおいて、放送トラフィックのインタリーブを大きいブロック単位で遂行する理由は、送信機でデータを伝送する際に発生し得るエラーを、受信機が訂正可能にするためである。これにより、受信機でデータを復号しようとする場合、伝送の際にインタリーブされたサイズのデータを受信しなければ、デインータリービングを行うことができない。したがって、ＤＭＢシステムにおいて放送サービスを切換える場合、図２に示すように少なくともＴ００の時点からＴ０２の時点まで放送サービスが提供されない区間が発生するため、ユーザーに不便を与える。
【発明の開示】
【発明が解決しようとする課題】
【００１７】
よって、本発明の目的は、ＤＭＢシステムにおいて、ユーザーの便宜を提供するための放送サービス受信装置及び方法を提供することにある。
本発明の他の目的は、ＤＭＢシステムにおいて、放送サービスの切換えが要求されるとき、放送サービス遅延を最小化できる放送サービス受信装置及び方法を提供することにある。
本発明のさらに他の目的は、ＤＭＢシステムにおいて、ＰＩＰ(Picture In Picture)サービスを提供する放送サービス受信装置及び方法を提供することにある。
【課題を解決するための手段】
【００１８】
前記目的を達成するために、本発明は、パイロットチャンネルと、放送ガイド情報チャンネル(ＥＰＧ)と、放送サービスに対する認証チャンネル(ＣＡＳ)と、２つの放送サービストラフィックチャンネルとを受信するデジタルマルチメディア放送(ＤＭＢ)システムにおける放送サービス受信装置であって、前記各チャンネルを介して第１の放送サービス及び当該情報を受信して復号し、前記第１の放送サービスをユーザーに提供する間、余裕復号資源要素を介して第２の放送サービスを受信して復号する復号資源と、前記第１の放送サービスを受信する間、前記第２の放送サービスを受信するための前記余裕復号資源要素があるか否かを確認する制御部とを備えることを特徴とする。
【００１９】
また、本発明は、パイロットチャンネルと、放送ガイド情報チャンネル(ＥＰＧ)と、放送サービスに対する認証チャンネル(ＣＡＳ)と、一つの放送サービスを伝送する２つの放送サービストラフィックチャンネルとを受信するデジタルマルチメディア放送(ＤＭＢ)システムにおける放送サービス受信方法であって、第１の放送サービスの放送サービストラフィックを復号するステップと、前記復号されたトラフィックの第１の放送サービスをユーザーに提供するステップと、余裕復号資源要素があるか否かを確認するステップと、前記第１の放送サービスをユーザーに提供する間、前記確認された余裕復号資源要素を介して第２の放送サービスを新たしく受信するステップと、前記受信された第２の放送サービストラフィックを所定時間の後に復号するステップと、前記第１の放送サービスをユーザーに提供すると同時に、前記復号されたトラフィックの第２の放送サービスをユーザーに提供するステップとを含む。
【発明の効果】
【００２０】
本発明によれば、ＤＭＢ受信装置において、放送の切換えが要求されるとき、直ちに放送サービスを変更することにより、一定時間の放送サービスの中断によりユーザーが感じる不便さを低減できる。また、ユーザーにＰＩＰサービスを提供することにより、ユーザーの便宜を提供できる。さらに、最小の余裕復号資源要素のみをさらに具備することにより、ＤＭＢ受信装置に具現される構成が簡単になり、電力消費も低減することができる。
【発明を実施するための最良の形態】
【００２１】
以下、本発明の好適な実施形態について添付図面を参照しながら、詳細に説明する。下記の説明において、本発明の要旨のみを明瞭にするために、関連した公知の機能や構成についての具体的な説明は、適宜省略する。
【００２２】
なお、第１の実施形態では、放送Ａのサービスを受信している間に、ユーザーの要求により他の放送Ｂにサービスが変更される場合について説明する。また、第２の実施形態では、放送Ａのサービスを受信している間に、ユーザーの要求によって他の放送Ｂを受信して、表示部の画面を分割して放送Ａ及び放送Ｂを同時出力するＰＩＰ機能がなされる場合について説明する。
【００２３】
図３Ａは、本発明によるＤＭＢ受信装置のブロック構成図である。以下、図３Ａを参照して、ＤＭＢ受信装置のブロック構成及び動作について詳細に説明する。図３Ａによれば、ＤＭＢ受信装置は、アンテナ(ＡＮＴ)、ＲＦ(radio frequency)受信部３００、ＲＡＫＥ受信機３０２、ＭＵＸ(３０３)、デインタリーバ３０４、チャンネルデコーダ３０６、ＭＰＥＧデコーダ３０８及び画像／音声処理器３１０を有する受信部と、表示部３１２と、スピーカー３１４と、制御部３１６と、入力部３１８とからなる。
【００２４】
ＲＦ受信部３００は、受信されるＤＭＢ信号の周波数をダウンコンバートし、ＲＡＫＥ受信機３０２に出力する。また、ＲＡＫＥ受信機３０２は、マルチパスによるフェージングの影響を除去してＭＵＸ(３０３)に出力する。
【００２５】
ＲＡＫＥ受信機３０２は、出力信号のうちで所望の放送サービスのチャンネルを受信して、所望の出力チャンネルを選択するＭＵＸ(３０３)を具備することができる。また、ＲＡＫＥ受信機３０２は、ＲＡＫＥ受信機３０２とデインタリーバ３０４との間にＭＵＸ(３０３)を介在して構成することもできる。
【００２６】
デインタリーバ３０４は、ＭＵＸ(３０３)から出力された受信信号によりデインタリーブを行う。また、デインタリーバ３０４は、内部バッファ(図示せず)を有し、内部バッファに所望の放送サービストラフィックが満杯になるまで放送サービスを提供できないため、これによる遅延が発生する。
【００２７】
チャンネルデコーダ３０６は、デインタリーバ３０４からデインタリーブされた信号を受信して、誤り回復(error recovery)のための復号を行う。また、復号されたチャンネルに放送サービストラフィックがある場合、チャンネルデコーダ３０６は、その放送サービストラフィックをＭＰＥＧデコーダ３０８に出力する。また、復号された信号は、画像／音声処理器３１０を介して表示部３１２及びスピーカー３１４に伝送され、放送サービスの映像及び音声をユーザーに提供する。
【００２８】
制御部３１６は、ＤＭＢ受信装置の全般的な動作を制御し、デインタリーバ３０４及びチャンネルデコーダ３０６の余裕復号資源(reserved decoding resources)が利用可能であると確認される場合、新たな放送サービストラフィックを復号するように制御する。また、制御部３１６は、ＰＩＰサービスを提供するために、表示部３１２及びスピーカー３１４に入力される画像／音声処理器３１０の出力を制御する。また、制御部３１６は、ＭＵＸ(３０３)の動作を制御して、デインタリーバ３０４に入力される放送サービストラフィック復号資源要素を変更させる。例えば、ＲＡＫＥ受信機３０２の６番チャンネルの出力が、デインタリーバ３０４のデインタリーバ４(３０４ｂ)又は他の任意のデインタリーバ復号資源要素に入力されるようにする。ここで、上記の「余裕復号資源」とは、既に具現された資源要素のうち、まだ使用されていない未使用の復号資源を意味する。
【００２９】
入力部３１８は、ユーザーの動作制御を入力するためのインターフェースであって、本発明の実施形態では、ユーザーの放送サービス変更の要求が入力される。
本発明では、デインタリーバ３０４及びチャンネルデコーダ３０６を復号資源３２０と称する。
【００３０】
図３Ｂは、本発明の実施形態による受信機のチャンネル構成を示す図である。ＲＡＫＥ受信機３０２は、従来では５つのチャンネルのみに対してマルチパスのフェージングを検出したが、本発明では７つのチャンネルに対してマルチパスのフェージングを検出して補正する。このように、追加された２つのチャンネルに対してフェージングを検出して補正する動作は、後述する場合に利用されるものであり、通常は従来のように５つのチャンネルのみに対してフェージングを検出して補正する。図３Ｂにおいて、ハッチングで示されたチャンネルが、本発明によりＲＡＫＥ受信機３０２でフェージングをさらに検出する場合に使用されるものである。すなわち、図３Ｂにおいて、本発明により動作する場合に使用される余裕チャンネル(reserved channels)を参照符号３０２ａ、３０２ｂに図示した。
【００３１】
このような本発明によるＲＡＫＥ受信機３０２は、本発明により２つの放送チャンネルを受信する場合、各チャンネルから受信される信号を処理する。これを、図３Ｂを参照して説明すれば、ＲＡＫＥ受信機３０２は、チャンネル０のＣＡＳ、チャンネル１のＥＰＧ、チャンネル２及びチャンネル３の放送サービスＡ、チャンネル４及びチャンネル５(３０２ａ)の放送サービスＢ、チャンネル６(３０２ｂ)のパイロット信号を受信する。このように、ＲＡＫＥ受信機３０２で処理された信号は、ＭＵＸ(３０３)に入力される。
【００３２】
ＭＵＸ(３０３)は、制御部３１６から受信される多重化制御信号に基づいて入力された信号が、該当する各復号資源要素に入力されるように多重化する。このように、ＭＵＸ(３０３)により多重化された信号は、各復号資源要素に入力される。
【００３３】
本発明による実施形態では、ＲＡＫＥ受信機３０２で受信されるパイロット信号の制御情報が必要なとき、復号資源要素のうちの所望の復号資源要素にパイロット信号が割り当てられる。すなわち、本発明では、ＲＡＫＥ受信機３０２のチャンネル６(３０２ｂ)から受信されるパイロット信号は、点線(３０３ａ)で示すように、復号資源要素のうちのデインタリーバ４(３０４ｂ)に出力される。
【００３４】
前述したように、各復号資源要素は、デインタリーバ要素及びチャンネルデコーダ要素からなる。すなわち、一つのデインタリーバ要素と一つのチャンネルデコーダ要素とが復号資源要素を構成する。よって、本発明の実施形態による復号資源３２０は、全部で６つの復号資源要素からなる。このような復号資源要素は、自身の入力信号をデインタリーブした後、復号して出力する。
【００３５】
また、本発明の実施形態では復号資源要素を６つとして説明するが、これ以上の数の復号資源要素を備えることもできる。すなわち、３つ以上のチャンネルを同時にＰＩＰ技法にて表示する場合には、８つの復号資源要素を備えなければならない。このような復号資源要素の増加は、本発明で説明される内容に基づいて当該分野における通常の知識を有した者により容易に実施できることは勿論である。
【００３６】
また、チャンネルデコーダは、各チャンネルを介して受信されるデータを別途に復号する装置で具現することができ、チャンネルデコーダ装置が一つのデコーダ内で具現されることもできる。
【００３７】
各復号資源要素を構成する各チャンネルデコーダは、制御部３１６から入力される映像出力制御信号に基づいて復号された信号のうち、映像及び音響に該当するＭＰＥＧ−２又はＭＰＥＧ−４の形式に圧縮されたデータをＭＰＥＧデコーダ３０８に出力し、その他の信号を制御部３１６に出力する。よって、２つのチャンネルを介して一つの放送サービスだけを受信する場合には、２つのチャンネルの復号されたデータだけがＭＰＥＧデコーダ３０８に出力され、４つのチャンネルを介して二つの放送サービスを受信する場合には、４つのチャンネルの復号されたデータがＭＰＥＧデコーダ３０８に出力される。また、制御部３１６は、ＣＡＳ信号、ＥＰＧ信号及びパイロット信号を受信し、受信される映像データの情報及びチャンネル状況などに関する情報を獲得できる。
【００３８】
デインタリーバ３０４は、従来のデインタリーバと比べて、一つの余裕デインタリーバ要素３０４ａをさらに備え、各チャンネル別に入力される放送サービストラフィックをデインタリーブして、チャンネルデコーダ３０６の当該復号資源要素に出力する。
【００３９】
チャンネルデコーダ３０６も、従来のチャンネルデコーダと比べて、一つの余裕チャンネルデコーダ要素３０６ａをさらに備え、デインタリーバ３０４から出力されるデインタリーブされた放送サービストラフィックを、当該チャンネルデコーダ要素に入力して復号する。復号された放送サービストラフィックのうち、放送サービスＡ及び放送サービスＢのデータは、チャンネルデコーダ３０６から出力されてＭＰＥＧデコーダ３０８に入力される。その後、ＭＰＥＧデコーダ３０８は、当該復号を行う。
【００４０】
図４は、本発明の第１の実施形態により、放送サービスを切換える際、図３ＢのＭＵＸ(３０３)の後段の復号資源でのデータ処理過程を示すタイミング図である。図４において、参照符号４００〜４０８の放送サービストラフィックは、図１に示した参照符号１００〜１０８の放送サービストラフィックと同様な役割を遂行し、その他に一つの余裕復号資源要素を確保して、後述する放送サービスの切換えの便宜のために、参照符号４１０の放送サービストラフィックをさらに復号する。
【００４１】
図１と比較すれば、図４には、余裕復号資源要素５(４１０)がさらに具備されている。パイロット信号を復号した復号資源要素４(４０８)が放送サービスの切換えのためのもう一つの余裕復号資源要素として設定されている。二つの余裕復号資源要素は、放送Ａ(４０４、４０６)から放送Ｂ(４０８、４１０)に切換える際、復調、復号及びデインタリーブを行うための復号資源要素として用いられる。
【００４２】
復号資源要素４(４０８)により受信されるパイロット信号は、ＤＭＢ受信装置の同期及び制御に必要な情報を含んでいる。また、パイロット信号のうち、同期に関連した情報はＲＡＫＥ受信機３０２で継続受信するが、放送信号の制御情報は必要時のみにＲＡＫＥ受信機３０２の後段に出力されて、復号及びデインタリーブの過程を経ることになる。よって、本発明の実施形態では、パイロット信号を復号する復号資源要素４(４０８)を、復号資源要素５(４１０)と共に放送サービスＢのための余裕復号資源要素として設定した。
【００４３】
まず、制御部３１６は、パイロット信号の制御情報の受信が完了するＴ０４時点でＲＡＫＥ受信機３０２を制御して、パイロット信号がＭＵＸ(３０３)を介してデインタリーバ３０４に出力されないようにする。また、ＲＦ受信部３００及びＲＡＫＥ受信機３０２は、Ｔ０４時点で新しい放送サービスＢのデータを、復号資源３２０でパイロット信号を復号した復号資源要素４(４０８)と余裕復号資源要素５(４１０)とに入力する。
復号資源素４(４０８)と余裕復号資源要素５(４１０)とに入力された放送サービスＢのデータは、デインタリーブ及び復号による遅延時間が発生することになる。
【００４４】
Ｔ０６時点は、放送サービスＢのデインタリーブ及び復号による遅延が終了した時点であり、Ｔ０６時点からは二つの放送サービスＡ及びＢをユーザーに提供できる。Ｔ０８時点でユーザーにより放送サービスＢへの変更が要求される場合、制御部３１６は、表示部３１２及びスピーカー３１４に放送サービスＢ(４０８、４１０)のデータをリアルタイムに出力する。Ｔ０８時点からＴ１０時点まで更にパイロット信号の制御情報が必要な場合、制御部３１６は、余裕復号資源要素があるか否かを判定する。余裕復号資源要素がある場合、制御部３１６はＭＵＸ(３０３)の出力を調節してパイロット信号を復号資源３２０に出力する。
【００４５】
本発明の実施形態では、復号資源３２０で放送サービスＡを復号した復号資源要素２(４０４)を余裕復号資源要素として選択している。復号資源要素２(４０４)は、受信されるパイロット信号を復号して制御部３１６に出力する。
【００４６】
以下、図５Ａ及び図５Ｂのフローチャートを参照して、図３Ａの受信装置に適用される本発明の第１の実施形態によるＤＭＢにおける放送切換え手順を説明する。また、図５Ａ及び図５Ｂの方法は、前述した図４のチャンネル構造を持つ復号資源に基づいて遂行される。
【００４７】
図５Ａによれば、段階Ｓ５００のような放送Ａのサービス状態において、制御部３１６は、新たな放送Ｂを受信するために、段階Ｓ５０２においてデインタリーバ３０４及びチャンネルデコーダ３０６の余裕復号資源要素の有無をサーチする。制御部３１６は、段階Ｓ５０２において余裕復号資源要素があるか否かを判断する。このとき、段階Ｓ５０２において余裕復号資源要素がない場合、制御部３１６は、段階Ｓ５０４においてサービスの提供に影響を与えない状態で復号中断可能な復号資源要素があるか否かを判断する。段階Ｓ５０２において余裕復号資源要素がある場合、現在の放送サービスを変更するのに必要な復号資源要素の数を確保する段階Ｓ５１０に進行する。
【００４８】
続いて、制御部３１６は、段階Ｓ５０４においてサービス復号を中断しても良い復号資源要素がある場合、段階Ｓ５０８において中断可能な復号資源要素で復号を中止し、サービス復号を中断しても良い復号資源要素がない場合、段階Ｓ５０６において既存の放送サービスの復号を中止する。
本発明の実施形態では、段階Ｓ５０４においてサービス復号を中断しても良い復号資源要素を、制御情報を受信するための復号資源要素４(４０８)に設定した。
【００４９】
制御部３１６は、段階Ｓ５１０においてサービスの変更に必要な復号資源要素の数を確保したか否かを判定する。サービスの変更に必要な復号資源要素の数を確保した場合、制御部３１６は、段階Ｓ５１２において確保された復号資源要素を用いて新たな放送サービスＢの復号を開始する。
【００５０】
このとき、ＤＭＢ受信装置は、放送サービスＡ及び放送サービスＢを全部受信している状態である。放送サービスＢは、現在受信されている放送サービスＡの隣接チャンネル、又は、制御部３１６により予測された放送であり得る。
【００５１】
段階Ｓ５１４において入力部３１８を介してユーザーの放送サービス変更要求が制御部３１６に印加されると、制御部３１６は、段階Ｓ５１６においてユーザーが所望するサービスへの変更要求、すなわち、所望するチャンネルへの変更要求を受信し検出する。制御部３１６は、段階Ｓ５１８において段階Ｓ５１６のサービス変更要求に基づき、現在の余裕復号資源要素４０８、４１０により復号されるデータである放送サービスＢが、ユーザーが要求した放送サービスか否かを判定する。
【００５２】
段階Ｓ５１８において余裕復号資源要素４０８、４１０により復号される放送サービスＢが、ユーザーが要求した放送サービスである場合、制御部３１６は、段階Ｓ５２４において放送サービスＡを放送サービスＢに出力チャンネルを変更して、ＭＰＥＧデコーダ３０８に入力する。一方、制御部３１６は、段階Ｓ５１８において復号されているデータである放送サービスＢが、ユーザーが要求した放送サービスでない場合、段階Ｓ５２０において要求された放送サービスを新しく受信し、段階Ｓ５２２において受信された信号をデインタリーブ及び復号する。新たな放送がデインタリーブ及び復号により遅延が発生する間、受信された既存の放送サービスＡは継続維持されるので、放送サービスが中断されない。
【００５３】
段階Ｓ５２４において放送サービスＢに変更されると、制御部３１６は、段階Ｓ５２６においてチャンネルデコーダ３０６で新しく復号された放送サービスＢを表示部３１２及びスピーカー３１４を介して出力する。
【００５４】
その後、制御部３１６は、段階Ｓ５２８において放送を切換えながら復号を中断したチャンネル(サービス)を復旧させるか否かを確認し、中断したチャンネルを復旧させる場合、段階Ｓ５３０において復号資源で復号される信号のうちで優先順位が低い信号の復号を中止する。
【００５５】
本発明の第１の実施形態では、復旧されるチャンネルはパイロットチャンネルであり、優先順位が低い信号は放送サービスＡ−１(４０４)を意味する。
制御部３１６は、段階Ｓ５３０において優先順位が低い信号の復号を中止した後、段階Ｓ５３２において中断した以前のサービスを復旧する。その後、段階Ｓ５３４においてサービス変更を完了する。
【００５６】
前述したように、本発明の第１の実施形態では、放送サービスＢをユーザーに提供する間、パイロット信号の制御情報が必要である場合、余裕復号資源要素の一つを選択して、パイロット信号の制御情報を復号する。これに対し、本発明の第２の実施形態では、パイロット信号の制御情報のような復号が中断されたチャンネルの復旧に対する要求がなく、余裕復号資源要素が存在する場合、ユーザーに同時に二つの放送サービスＡ及びＢを提供する。
【００５７】
図６は、本発明の第２の実施形態によりＰＩＰサービスを具現する場合、図３Ｂの復号資源でのデータ処理過程を示すタイミング図である。図６の参照符号６００〜６１０は、図４の参照符号４００〜４１０と同一であるため、その説明を省略する。
【００５８】
図６によれば、制御部３１６は、Ｔ１２時点において、復号資源要素４(６０８)でパイロットチャンネルの制御情報の受信を完了した後、パイロットチャンネルのデインタリーブ及び復号を中断し、復号資源要素５(６１０)及び復号資源要素４(６０８)が新たな放送サービスＢを復号する。したがって、放送サービスＢをユーザーに提供するには、Ｔ１２時点からＴ１４時点までの復号及びデインタリーブによる遅延が発生することになる。Ｔ１４時点は、放送サービスＢのデインタリーブ及び復号による遅延が終了された地点である。Ｔ１４時点においてリアルタイムに放送サービスＡ及び放送サービスＢに対してデインタリーブ及び復号が行われるため、制御部３１６は、画像／音声処理器３１０を制御してＰＩＰサービスを提供できる。
【００５９】
以下、図７のフローチャートを参照して、図３Ａの受信装置に適用される本発明の第２の実施形態によるＤＭＢにおけるＰＩＰサービスの提供方法を説明する。
図７によれば、段階Ｓ７００のような放送Ａのサービスを提供する状態において、段階Ｓ７０２において入力部３１８によるユーザーのＰＩＰサービスの要求が制御部３１６に印加されると、制御部３１６は、段階Ｓ７０４においてユーザーが所望するＰＩＰサービスの要求を受信し検出する。
【００６０】
制御部３１６は、段階Ｓ７０６において段階Ｓ７０４のＰＩＰサービスの要求に基づき、新たな放送サービスＢをユーザーに提供するために、段階Ｓ７０６において余裕復号資源要素の有無をサーチする。制御部３１６は、段階Ｓ７０６においてデインタリーバ３０４及びチャンネルデコーダ３０６をサーチして、余裕復号資源要素があるか否かを判定する。
【００６１】
このとき、段階Ｓ７０６において余裕復号資源要素がない場合、制御部３１６は、段階Ｓ７０８においてサービス提供に影響を与えない状態で復号中断可能な復号資源要素があるか否かを判断する。段階Ｓ７０６において余裕復号資源要素がある場合、新たな放送サービスＢを提供するのに必要な復号資源要素の数を確保する段階Ｓ７１２に進行する。
【００６２】
制御部３１６は、段階Ｓ７０８において、復号中断可能な復号資源要素がある場合、段階Ｓ７１０において中断可能な復号資源要素の復号を中止し、復号中断可能な復号資源要素がない場合、段階Ｓ７０６に戻って余裕復号資源要素があるか否かを検査する過程を繰返す。
【００６３】
本発明の実施形態では、サービス復号を中断しても良い復号資源要素を、パイロット信号を復号した復号資源要素４(６０８)に設定した。
制御部３１６は、段階Ｓ７１０において復号中断可能な復号資源要素の復号を中止し、段階Ｓ７１２においてＰＩＰサービスの提供に必要な復号資源要素の数を確保したか否かを検査する。
【００６４】
制御部３１６は、段階Ｓ７１２において復号資源要素の数を確保した場合、段階Ｓ７１４において確保した復号資源要素を用いてＲＡＫＥ受信機３０２で受信される新たな放送サービスＢを復号する。一方、制御部３１６は、復号資源要素の数を確保しない場合、 段階Ｓ７０６に戻って余裕復号資源があるか否かを検査する。
【００６５】
制御部３１６は、段階Ｓ７１４において新たな放送サービスＢのデータを復号し、段階Ｓ７１６において既存の放送サービスＡの以外の新たな放送サービスＢを同時に出力してＰＩＰサービスを提供する。
【００６６】
前述したように、本発明の実施形態では、優先順位が低いパイロットチャンネルを復号する復号資源要素を余裕復号資源要素に割り当てたが、パイロットチャンネルでない他のチャンネルを復号する復号資源を余裕復号資源要素に割り当てることもできる。
【００６７】
図８は、本発明の第３及び第４の実施形態による受信機のチャンネル構成図である。図８によれば、ＲＡＫＥ受信機３０２は、従来では５つのチャンネルのみに対してマルチパスのフェージングを検出したが、本発明では９つのチャンネルに対してマルチパスのフェージングを検出して補正する。このように、追加された４つのチャンネルに対してフェージングを検出して補正する動作は、後述する場合に利用されるものであり、通常は従来と同様に５つのチャンネルのみに対してフェージングを検出して補正する。図８において、ハッチングで示されたチャンネルは、ＲＡＫＥ受信機３０２で本発明によりフェージングをさらに検出する場合に使用される。すなわち、図８において、本発明により動作する場合に使用される余裕チャンネルを参照符号３０２ｃ、３０２ｄ、３０２ｅ、３０２ｆに図示した。
【００６８】
このような本発明によるＲＡＫＥ受信機３０２は、本発明により３つの放送チャンネル(Ａ、Ｂ、Ｃ)を受信する場合、各チャンネルから受信される信号を処理する。これを、図８を参照して説明すると、ＲＡＫＥ受信機３０２は、チャンネル０のＣＡＳ、チャンネル１のＥＰＧ、チャンネル２及びチャンネル３の放送サービスＡ、チャンネル４及びチャンネル５(３０２ｃ)の放送サービスＢ、チャンネル６(３０２ｄ)及びチャンネル７(３０２ｅ)の放送サービスＣ、チャンネル８(３０２ｆ)のパイロット信号を受信する。このように、ＲＡＫＥ受信機３０２で処理された信号は、ＭＵＸ(３０３)に入力される。
【００６９】
ＭＵＸ(３０３)は、制御部３１６から受信される多重化制御信号に基づいて入力された信号が、該当する各復号資源要素に入力されるように多重化する。ＭＵＸ(３０３)により多重化された信号は、各復号資源要素に入力される。
【００７０】
本発明による実施形態では、ＲＡＫＥ受信機３０２で受信されるパイロット信号の制御情報が必要なとき、復号資源要素のうちの所望の復号資源要素にパイロット信号が割り当てられる。すなわち、本発明では、ＲＡＫＥ受信機３０２のチャンネル８(３０２ｆ)から受信されるパイロット信号は、点線(３０３ｂ)で示すように、復号資源要素のうちのデインタリーバ６(３０４ｄ)に出力される。
【００７１】
前述したように、各復号資源要素は、デインタリーバ要素及びチャンネルデコーダ要素からなる。すなわち、一つのデインタリーバ要素と一つのチャンネルデコーダ要素とが復号資源要素を構成する。
【００７２】
よって、本発明の第３の実施形態による復号資源３２０は、全部で８つの復号資源要素からなる。このような復号資源要素は、自身の入力信号をデインタリーブした後、復号して出力する。
【００７３】
また、本発明の第３の実施形態では復号資源要素を８つとして説明するが、これ以上の数の復号資源要素を備えることもできる。すなわち、４つ以上のチャンネルを同時にＰＩＰ技法にて表示する場合には、１０個の復号資源要素を備えなければならない。このような復号資源要素の増加は、本発明で説明される内容に基づいて当該分野における通常の知識を有した者により容易に実施できることは勿論である。
【００７４】
また、チャンネルデコーダは、各チャンネルを介して受信されるデータを別途に復号する装置で具現することができ、チャンネルデコーダ装置が一つのデコーダ内で具現されることもできる。
【００７５】
各復号資源要素を構成する各チャンネルデコーダは、制御部３１６から入力される映像出力制御信号に基づいて復号された信号のうち、映像及び音響に該当するＭＰＥＧ−２又はＭＰＥＧ−４の形式で圧縮されたデータをＭＰＥＧデコーダ３０８に出力し、その他の信号を制御部３１６に出力する。よって、２つのチャンネルを介して一つの放送サービスだけを受信する場合、２つのチャンネルの復号されたデータだけをＭＰＥＧデコーダ３０８に出力し、４つのチャンネルを介して２つの放送サービスを受信する場合、４つのチャンネルの復号されたデータをＭＰＥＧデコーダ３０８に出力し、６つのチャンネルを介して３つの放送サービスを受信する場合、６つのチャンネルの復号されたデータをＭＰＥＧデコーダ３０８に出力する。また、制御部３１６は、ＣＡＳ信号、ＥＰＧ信号及びパイロット信号を受信し、受信される映像データの情報及びチャンネル状況などに関する情報を獲得できる。
【００７６】
デインタリーバ３０４は、従来のデインタリーバに比べて、３つの余裕デインタリーバ要素３０４ｃ、３０４ｄ、３０４ｅをさらに備え、各チャンネル別に入力される放送サービストラフィックをデインタリーブして、チャンネルデコーダ３０６の当該復号資源要素に出力する。
【００７７】
チャンネルデコーダ３０６も、従来のチャンネルデコーダに比べて、３つの余裕チャンネルデコーダ要素３０６ｃ、３０６ｄ、３０６ｅをさらに備え、デインタリーバ３０４から出力されるデインタリーブされた放送サービストラフィックを、当該チャンネルデコーダ要素を介して入力して復号する。復号された放送サービストラフィックのうち、放送サービスＡ、放送サービスＢ及び放送サービスＣは、チャンネルデコーダ３０６から出力されてＭＰＥＧデコーダ３０８に入力され、ＭＰＥＧデコーダ３０８は当該復号を行う。
【００７８】
図９は、本発明の第３の実施形態により放送サービスを切換える場合の図８の復号資源でのデータ処理過程を示すタイミング図である。図９において、参照符号９００〜９１４に示される復号資源要素は、図４に示した本発明の第１の実施形態による復号資源要素に比べ、２つの余裕復号資源要素を確保している。後述する放送サービスの切換えの便宜のために、復号資源要素６及び復号資源要素７を用いて放送サービストラフィックがさらに復号される。
【００７９】
図４に比べ、余裕復号資源要素７(９１４)をさらに備え、パイロット信号を復号した復号資源要素６(９１２)を放送サービスの切換えのためのもう一つの余裕復号資源要素として設定した。２つの余裕復号資源要素は、放送Ｂ(９０８、９１０)から放送Ｃ(９１２、９１４)に切換える際、復調、復号及びデインタリーブを行うための復号資源要素として用いられる。
【００８０】
前述したように、復号資源要素６(９１２)により受信されるパイロット信号は、ＤＭＢ受信装置の同期及び制御に必要な情報を含んでいる。
また、パイロット信号のうち、同期に関連した情報はＲＡＫＥ受信機３０２で継続受信するが、放送信号の制御情報は必要時のみにＲＡＫＥ受信機３０２の後段に出力されて、復号及びデインタリーブの過程を経ることになる。よって、本発明の第３の実施形態では、図１に比べて放送サービスＢを復号するための復号資源要素４(９０８)、５(９１０)とパイロット信号を復号する復号資源要素６(９１２)とを、復号資源要素７(９１４)と共に放送サービスＣを復号するための余裕復号資源要素として設定した。
【００８１】
まず、制御部３１６は、パイロット信号の制御情報の受信が完了するＴ１６時点でＲＡＫＥ受信機３０２を制御して、パイロット信号がＭＵＸ(３０３)を介してデインタリーバ３０４に出力されないようにする。また、ＲＦ受信部３００及びＲＡＫＥ受信機３０２は、Ｔ１６時点で新たな放送サービスＣを、復号資源３２０でパイロット信号を復号した復号資源要素６(９１２)と余裕復号資源要素７(９１４)とに出力する。
復号資源要素６(９１２)と余裕復号資源要素７(９１４)とに入力された放送サービスＣは、デインタリーブ及び復号による遅延時間が発生することになる。
【００８２】
Ｔ１８地点は、放送サービスＣのデインタリーブ及び復号による遅延が終了した時点である。
Ｔ１８時点からは３つの放送サービスＡ、Ｂ及びＣをユーザーに提供できる。Ｔ１８時点からＴ２０時点においてユーザーに現在提供されている放送サービスＢ(９０８、９１０)から、放送サービスＡ(９０４、９０６)やＣ(９１２、９１４)へ変更が要求されると、制御部３１６は、表示部３１２及びスピーカー３１４にユーザーが選択した放送サービスをリアルタイムに出力する。
【００８３】
Ｔ２０時点からＴ２２時点において更にパイロット信号の制御情報が必要である場合、制御部３１６は、余裕復号資源要素があるか否かを検査し、あるとＭＵＸ(３０３)の出力を調節してパイロット信号を復号資源３２０に出力する。本発明の第３の実施形態では、復号資源３２０で放送サービスＣを復号した復号資源要素６(９１２)を余裕復号資源要素として選択し、復号資源要素６(９１２)は受信されるパイロット信号を復号して制御部３１６に出力する。
【００８４】
本発明の第３実施形態によるＤＭＢにおける放送変換手順は、図５Ａ及び図５Ｂと同様である。但し、放送サービスＣの復号のための余裕復号資源要素の２つが追加された。
また、サービス復号を中断しても良い復号資源要素を、第１の実施形態では復号資源要素４(４０８)に設定したが、第３の実施形態では復号資源要素６(９１２)に設定した。余裕復号資源要素９１２、９１４で復号されるデータは放送サービスＣに該当する。また、Ａ、Ｂ、Ｃの３つの放送サービスをユーザーに提供する間、復号を中断したチャンネルを復旧させる必要がある場合、優先順位が低い復号資源要素を放送サービスＣ−１(９１２)に設定した。
【００８５】
したがって、本発明の第３の実施形態によれば、デジタル放送受信端末は、現在放送サービスＡ、Ｂ、Ｃを全部復号できるため、ユーザーは現在提供される放送、すなわち、放送サービスＢを視聴しながら、その前後のチャンネルにチャンネルを変更しても、デインタリーブ／復号の遅延がない。よって、リアルタイムにチャンネル変更された放送サービスが提供される。
【００８６】
図１０は、本発明の第４の実施形態によりＰＩＰサービスを具現する場合、図８でのデータ処理過程を示すタイミング図である。図１０の参照符号１０００〜１０１４は、図９の参照符号９００〜９１４と同様なので、その説明を省略する。
【００８７】
図１０によれば、制御部３１６は、Ｔ２４時点において、復号資源要素６(１０１２)でパイロットチャンネルの制御情報の受信を完了した後、パイロットチャンネルのデインタリーブ及び復号を中断し、復号資源要素６(１０１２)及び復号資源要素７(１０１４)で新たな放送サービスＣを復号する。よって、放送サービスＣをユーザーに提供するには、Ｔ２４４時点からＴ２６時点までの復号及びデインタリーブによる遅延が発生することになる。Ｔ２６時点は、放送サービスＣのデインタリーブ及び復号による遅延が終了された時点である。Ｔ２６時点では、リアルタイムに放送サービスＡ、放送サービスＢ及び放送サービスＣに対してデインタリーブ及び復号を行うため、制御部３１６は、画像／音声処理器３１０を制御してＰＩＰサービスを提供できる。
【００８８】
本発明の第４の実施形態によるＤＭＢにおける放送変換手順は、図７のフローチャートと同様である。但し、放送サービスＣの復号のための余裕復号資源要素の２つが追加された。
【００８９】
サービス復号を中断しても良い復号資源要素を、第２の実施形態では復号資源要素４(４０８)に設定し、第３の実施形態では復号資源要素６(９１２)に設定した。よって、余裕復号資源要素９１２、９１４で復号されたデータは、放送サービスＣに該当する。しかしながら、第４の実施形態では、サービストラフィックに対する復号を中断しても良い復号資源要素を復号資源要素６(１０１２)に設定した。第４の実施形態により現在の余裕復号資源要素１０１２、１０１４で復号されるデータは放送サービスＣになる。
【００９０】
したがって、本発明の第４の実施形態によれば、ユーザーは、現在受信されている放送サービスＡ、Ｂ、Ｃのうち、現在提供中である放送サービスＢに加えて、他の放送を選択することができ、表示部３１２及びスピーカー３１４を介してＰＩＰサービスを受信することができる。
【００９１】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００９２】
【図１】従来のＤＭＢシステムの端末に放送サービスを提供するために必要なチャンネルの構成図である。
【図２】従来のＤＭＢシステムにおいて放送サービスを切換える際、切換えサービスへの遅延が発生することを説明するためのタイミング図である。
【図３Ａ】本発明の実施形態によるＤＭＢ受信装置のブロック構成図である。
【図３Ｂ】本発明の実施形態による受信機のチャンネル構成図である。
【図４】本発明の一実施形態により放送サービスを切換える際、図３Ｂの復号資源でのデータ処理過程を示すタイミング図である。
【図５Ａ】本発明の一実施形態によるＤＭＢにおける放送変換手順を説明するためのフローチャートである。
【図５Ｂ】本発明の一実施形態によるＤＭＢにおける放送変換手順を説明するためのフローチャートである。
【図６】本発明の一実施形態によりＰＩＰサービスを具現する場合、図３Ｂの復号資源でのデータ処理過程を示すタイミング図である。
【図７】本発明の一実施形態によるＤＭＢにおいてＰＩＰサービス提供方法を説明するためのフローチャートである。
【図８】本発明の一実施形態による受信機のチャンネル構成図である。
【図９】本発明の一実施形態により、放送サービスを切換える際、図８の復号資源でのデータ処理過程を示すタイミング図である。
【図１０】本発明の一実施形態によりＰＩＰサービスを具現する場合、図８の復号資源要素でのデータ処理過程を示すタイミング図である。
【符号の説明】
【００９３】
３００；ＲＦ受信部
３０２；ＲＡＫＥ受信機
３０３；ＭＵＸ
３０４；デインタリーバ
３０６；チャンネルデコーダ
３０８；ＭＰＥＧデコーダ
３１０；画像／音声処理器
３１２；表示部
３１４；スピーカー
３１６；制御部
３１８；入力部
３２０；復号資源
【図１】
2008514105.tif 000003
【図２】
2008514105.tif 000004
【図３Ａ】
2008514105.tif 000005
【図３Ｂ】
2008514105.tif 000006
【図４】
2008514105.tif 000007
【図５Ａ】
2008514105.tif 000008
【図５Ｂ】
2008514105.tif 000009
【図６】
2008514105.tif 000010
【図７】
2008514105.tif 000011
【図８】
2008514105.tif 000012
【図９】
2008514105.tif 000013
【図１０】
2008514105.tif 000014
【国際調査報告】
2008514105.tif 000015
2008514105.tif 000016
2008514105.tif 000017